(57)【要約】【課題】  トイレットペーパーホルダーを簡単かつ壁加工なしに設置できるようにすること。【解決手段】  このトイレットペーパーホルダーラック１００は、袋状のラック部１と、その上部がラック部１の背面に貼り付けられ且つ下部が下方に延出した短冊形状の差込部２とからなる。一般的なトイレットペーパーホルダー５０では、上蓋５１をホルダー５２に取り付けた状態で、上蓋５１とホルダー５２との間に長細い隙間が生じる。ここに、前記トイレットペーパーホルダーラック１００の差込部２を上から差し込み設置する。このようにすれば、トイレットペーパーホルダーラック１００を壁を加工することなく、簡単に装着できる。【選択図】  図１
0003131877.tif 000002
【実用新案登録請求の範囲】
【請求項１】
上部に開口した袋状又は筒状のラック部と、ラック部に対しその上下に渡って設けられ且つさらに下方に延出すると共に、当該延出部は平板状となる差込部と、
を備え、前記差込部を、トイレットペーパーホルダーの上蓋と壁に取り付けた背面板との間隙に差し込んで装着することを特徴とするトイレットペーパーホルダーラック。
【請求項２】
前記差込部に、背面側に所定長さに突出する突出部が設けられたことを特徴とする請求項１に記載のトイレットペーパーホルダーラック。
【請求項３】
前記差込部の背面側にストッパーを設けたことを特徴とする請求項１又は２に記載のトイレットペーパーホルダーラック。
【請求項４】
前記差込部の先端に、折り線と切り込みから、棚部とストッパー部とを形成し、組立状態でストッパー部が差込部の背面から突出し、棚部が差込部の正面に突出することを特徴とする請求項１〜３のいずれか一つに記載のトイレットペーパーホルダーラック。
【考案の詳細な説明】
【技術分野】
【０００１】
本考案はトイレ内に新聞、書籍を収納するラックを、工具を用いず簡易に設置できるようにしたトイレットペーパーホルダーラックに関するものである。
【背景技術】
【０００２】
従来から排便時に読書目的で新聞書籍をトイレに持って入る人が多かった。最近はトイレの中にあらかじめ棚がある住居も増えてきたが、その数はまだ少ないのが実情である。このため、排便後のふき取り、洗浄、手洗いなどの一連の作業時には、持ち込んだ書籍類が大変邪魔になり、脇に挟む、直接床に置くなどの手間がかかっていた。また、賃貸住宅では、貸主の許可なく、借主がトイレ内部を勝手に改装して棚を設置することはできない。
【０００３】
例えば、特開２００２−２８２１７４号公報では、プラスチック製の板の下方を湾曲成形して新聞を保持できるようにし、その背面板に穴を開け、当該穴に木ネジを通してトイレの壁に取り付ける。このようなラックでは、壁に直接取り付けなければならなかった。
【０００４】
【特許文献１】特開２００２−２８２１７４号公報
【考案の開示】
【考案が解決しようとする課題】
【０００５】
本考案は、以上の問題点を解決するためになされたものである。
【課題を解決するための手段】
【０００６】
この考案に係るトイレットペーパーホルダーラックは、上部に開口した袋状又は筒状のラック部と、ラック部に対しその上下に渡って設けられ且つさらに下方に延出すると共に、当該延出部は平板状となる差込部とを備え、前記差込部を、トイレットペーパーホルダーの上蓋と壁に取り付けた背面板との間隙に差し込んで装着することを特徴とする。
【０００７】
この考案に係るトイレットペーパーホルダーラックは、上記構成において、前記差込部に、背面側に所定長さに突出する突出部が設けられたことを特徴とする。
【０００８】
この考案に係るトイレットペーパーホルダーラックは、上記構成において、前記差込部の背面側にストッパーを設けたことを特徴とする。
【０００９】
この考案に係るトイレットペーパーホルダーラックは、上記構成において、前記差込部の先端に、折り線と切り込みから、棚部とストッパー部とを形成し、組立状態でストッパー部が差込部の背面から突出し、棚部が差込部の正面に突出することを特徴とする。
【考案の効果】
【００１０】
本考案は、トイレ使用時に読書目的で書籍類を持ち込んだ際、排便後の一連の作業時に書籍類を収納しておくことができるので、当該作業の邪魔をすることがない。また、設置する際はトイレットペーパーホルダーに差し込むだけなので、壁等のトイレ内部を傷つけることがない。
【考案を実施するための最良の形態】
【００１１】
（実施の形態１）
図１は、この考案の実施の形態に係るトイレットペーパーホルダーラックを示す斜視図である。図２は、図１に示したトイレットペーパーホルダーラックの使用状態を示す説明図である。図３は、図１に示したトイレットペーパーホルダーラックの側面図、図４は、その正面図である。図５は、トイレットペーパーホルダーへの装着状態を示す側面図である。このトイレットペーパーホルダーラック１００は、合成樹脂シートを用いて形成した袋状のラック部１と、その上部がラック部１の背面に貼り付けられ且つ下部が下方に延出した短冊形状の差込部２とからなる。ラック部１は全体的に可撓性を有するが、その背面の略面全体にはある程度の剛性を持たせ、本等の重量によって撓むことがないようにするのが好ましい。また、差込部２を撓み易い材料や構造にすると、ラック部１に入れた本等の重量により当該差込部２が撓んで、トイレットペーパーホルダー５０から抜けてしまうため、撓み難い材料または構造とするのが好ましい。
【００１２】
差込部２の幅は、一般的なトイレットペーパーホルダー５０の上蓋５１と略同じ幅とする。或いは、一般的なトイレットペーパーの幅と同じとする。一般的なトイレットペーパーホルダー５０は、上蓋５１の手前側が下方に湾曲してその短縁でトイレットペーパーを押え且つその短縁に沿って切り取ることができるようになっている。また、上蓋５１は、その奥側短縁両側にて回転可能に支持されている。ホルダー５２は断面コの字形状であり、上蓋５１の当該奥側短縁両側は、ホルダー５２の背面とアーム５３との角上方で回転可能に支持される。また、ホルダー５２は、そのアーム５３先端でトイレットペーパーの芯に通す軸５４を着脱可能に支持する。軸５４は、軸方向に伸縮する蛇腹等の伸縮部を有する中空のプラスチック製である。
【００１３】
上蓋５１をホルダー５２に取り付けた状態で、上蓋５１とホルダー５２との間に長細い隙間５５が生じる。この隙間５５に、前記差込部２を上から差し込む。前記ラック部１の幅は、一般的なトイレットペーパーホルダーの上蓋５１よりも大きいので、差込部２のみが前記隙間５５に差し込まれ、ラック部１は、図１及び図２に示すように、トイレットペーパーホルダー５０の上側に位置する。なお、ラック部１の幅が上蓋５１より小さくても、上蓋５１とホルダー５２との隙間５５よりも厚ければ（図示省略）、同様にラック部１がトイレットペーパーホルダー５０の上側に位置されることになる。
【００１４】
なお、差込部２の延出長さは、少なくともラック部１の高さと同じかそれ以上とするのが好ましい。また、差込部２には、合成樹脂又は金属製の板、網、鎖、木材を用いることができる。更に、差込部２の先端には、当該差込部２がトイレットパーパーホルダー５０から突き出たときに生じる当該差込部２と壁面６０との間隔６１を調整するためのネジ７０を設けても良い（図５中にて点線で示す）。具体的には、差込部２の先端にネジ７０を設け、そのネジ部７２が差込部２の背面から壁面６０に対して突出し（ネジ部７２の突出した部分が突出部となる）、また、ネジ部７２先端にゴム７３を設ける。そして、このネジ７０のつまみ７１を回すことで、差込部２の背面からのネジ部７２を突出させる。これにより、上蓋５１との接触部分を中心としてラック部１が壁面方向に動き、ラック部１と壁面６０との間隔６２が調整され得る。また、ネジ部７２先端のゴム７３がストッパーとして機能し、本の重量で差込部２が上方に抜けてしまうのを防止する。なお、このようなネジ７０ではなく、差込部１の先端背面に所定厚のゴム製のストッパーを設けてもよい（図示省略）。
【００１５】
前記ラック部１は、本、新聞などが入りやすいように、上部に向かって開口するフォルダ形状である。側面には折部３が設けられて本等の収納時に前面がある程度可動するようになっている。背面は上記のようにある程度の剛性をもたせるようにするのが好ましいが、前面の剛性は背面ほど高い剛性は必要ない。ラック部１の形状については、このようなフォルダ形状でなくてもよい。底を省略した筒状のものであっても良い（上蓋５１が実質的に底になり得る。図示省略）。ラック部１の材料には、合成樹脂のほか、織布や革を用いてもよいし、ラック部１の背面、側面、前面がそれぞれ別の材料であってもよい。
【００１６】
更に、差込部２の下方先端には、予備のトイレットペーパーをストックするため、ループ状にしたバンドを設けても良い（図示省略）。
【００１７】
（実施の形態２）
図６は、この考案の実施の形態２に係るトイレットペーパーホルダーラックを示す側面図である。当該トイレットペーパーホルダーラック２００は、実施の形態１に記載のものと略同一であるが、差込部２の下側に棚２５０を兼用できるストッパーを設けた点が異なる。差込部２の下部には、図７の平面図に示すように、コの字を横にした形状の切り込み２０１が設けられ且つ当該切り込み２０１により形成されるストッパー部２１０の端縁には、帯状のゴム２０２が表裏に渡って張られている。切り込み２０１のそれぞれの付け根から差込部２の端縁まで当該端縁に対して垂直方向に折り線２０３が設けられる。ストッパー部２１０を形成する切り込み２０１の短辺長により差込部２と壁面６０との間に与える間隔６１が決定される。
【００１８】
更に、この折り線２０３から更に下方が棚部２０４となる。棚部２０４の両縁には、壁２０５を形成するため、差込部２の長手方向に沿った折り線２０６が設けられる。また、前記折り線２０３のうち、壁２０５の高さ分については切り込み２０９が設けられる。更に、差込部２の棚部２０４ではない側には、切り込み２０９と平行で且つ壁２０５の高さ分の長さの切り込み２０７が設けられる。この切り込み２０７の付け根から前記切り込み２０９に対して垂直方向に折り線２０８が設けられる。折り線２０８の長さは壁２０５の高さと同じである。これにより、固定部２１１が形成される。
【００１９】
このトイレットペーパーホルダーラック２００は、前記棚部２０４を畳んだ又は折り曲げていない状態で実施の形態１と同様の方法でトイレットペーパーホルダー５０に装着し、その後、折り線２０３にそって棚部２０４を手前に折り曲げると、ストッパー部２１０が差込部２の背面に突出し、その先端に設けたゴム２０２が壁面６０に接する。次に、棚部２０４の折り線２０６を折り曲げて壁２０５を形成すると共に、差込部２の折り線２０８を折って固定部２１１を壁２０５に重ね合わせ、ステープラや嵌め合い等の手段で当該固定部２１１と壁２０５とを固定する。これにより、棚部２０４が差込部２に対して垂直方向（正面或いは手前方向）に突出した状態で保持され、且つ、ストッパー部２１０が差込部２の背面から突出し（このストッパー部２１０が突出部となる）、その端縁のゴム２０２の壁面６０に対する摩擦力で差込部２が上下方向に動き難くなる。また、ストッパー部２１０の突出により、上蓋５１との接触部分を中心としてラック部１が壁面方向に動き、このラック部１と壁面６０との間隔６２が調整され得る。これにより、前記隙間６２の調整を行うと共に、本の重量で差込部２が上方に抜けてしまうのを防止する。また、棚２５０には、トイレ用洗剤、トイレットペーパー、灰皿などの小物を置くことができる。
【００２０】
なお、棚２５０およびストッパー部２１０の形状や配置は、図６及び図７に示したものに限定されない。即ち、差込部２の先端に所望の切り込みと折り線を設け、差込部２をトイレットペーパーホルダー５０に差し込んだ後、棚２５０を正面に立てたとき、背面にストッパー部２１０が突出するような形状、配置であればよい。
【図面の簡単な説明】
【００２１】
【図１】この考案の実施の形態に係るトイレットペーパーホルダーラックを示す斜視図である。
【図２】図１に示したトイレットペーパーホルダーラックの使用状態を示す説明図である。
【図３】図１に示したトイレットペーパーホルダーラックの側面図である。
【図４】図１に示したトイレットペーパーホルダーラックの正面図である。
【図５】トイレットペーパーホルダーへの装着状態を示す側面図である。
【図６】この考案の実施の形態２に係るトイレットペーパーホルダーラックを示す側面図である。
【図７】この考案の実施の形態２に係るトイレットペーパーホルダーラックを示す平面図である。
【符号の説明】
【００２２】
１００  トイレットペーパーホルダーラック
１  ラック部
２  差込部
７０  ネジ
【図１】
0003131877.tif 000003
【図２】
0003131877.tif 000004
【図３】
0003131877.tif 000005
【図４】
0003131877.tif 000006
【図５】
0003131877.tif 000007
【図６】
0003131877.tif 000008
【図７】
0003131877.tif 000009